(57)【要約】【課題】脂肪酸セッケンを主たる洗浄料成分とし、上記の排水口や洗濯機の洗濯槽を洗浄するのに好適な形態に調製され、しかも、環境に対する負荷が小さい排水口洗浄用および洗濯槽洗浄用のエアゾール剤を提供すること。【解決手段】エアゾール容器と、エアゾール用組成物と、噴射剤と、を備える排水口洗浄用のエアゾール剤１または洗濯槽洗浄用のエアゾール剤であって、上記エアゾール用組成物が、脂肪酸セッケン、炭素数２または３のアルコール系化合物、テルペン系化合物および水を含有し、このエアゾール用組成物と上記噴射剤とが、上記エアゾール容器内に充填される。【選択図】図１
2007119707.tif 000002
【特許請求の範囲】
【請求項１】
エアゾール容器と、
脂肪酸セッケン、炭素数２または３のアルコール系化合物、テルペン系化合物および水を含有するエアゾール用組成物と、
噴射剤と、を備え、
前記エアゾール用組成物および前記噴射剤が、前記エアゾール容器内に充填されていることを特徴とする、排水口洗浄用のエアゾール剤。
【請求項２】
エアゾール容器と、
脂肪酸セッケン、炭素数２または３のアルコール系化合物、テルペン系化合物および水を含有するエアゾール用組成物と、
噴射剤と、を備え、
前記エアゾール用組成物および前記噴射剤が、前記エアゾール容器内に充填されていることを特徴とする、洗濯槽洗浄用のエアゾール剤。
【発明の詳細な説明】
【技術分野】
【０００１】
本発明は、排水口洗浄用および洗濯槽洗浄用のエアゾール剤に関する。
【背景技術】
【０００２】
従来、洗面台、流し台、浴室、浴槽などの排水口や、洗濯機の洗濯槽を洗浄するための洗浄剤としては、例えば、洗浄の対象となる部位に直接付着させたり、流し込んだり、スプレーしたりして用いられる液体の合成洗剤が一般的である。
しかし、市販の液体合成洗剤には、洗浄料として、合成界面活性剤が用いられており、例えば、上記排水口などから排出されたときに分解されにくく、河川や湖沼の水質汚染、生態系の破壊などに繋がるおそれがある。
【０００３】
一方、脂肪酸セッケンは、気泡力、洗浄力に優れ、しかも、排水後の分解性が良好で、環境への負荷が小さいものの、通常、固形であり、また、水に溶けにくい。
また、特許文献１および２には、脂肪酸セッケンを含有する洗剤・洗浄剤組成物が記載されているが、合成界面活性剤との併用が前提とされている。
【特許文献１】特開平９−２０２８９８号公報
【特許文献２】特開平５−２６２６３９号公報
【発明の開示】
【発明が解決しようとする課題】
【０００４】
しかるに、脂肪酸セッケンを主たる洗浄料成分とし、洗面台、流し台、浴室、浴槽などの排水口や洗濯機の洗濯槽を洗浄するのに好適な形態に調製された洗浄剤については、未だ、提案されていないのが現状である。
本発明の目的は、脂肪酸セッケンを主たる洗浄料成分とし、上記の排水口や洗濯機の洗濯槽を洗浄するのに好適な形態に調製され、しかも、環境に対する負荷が小さい排水口洗浄用および洗濯槽洗浄用のエアゾール剤を提供することである。
【課題を解決するための手段】
【０００５】
上記目的を達成するために、本発明は、
（１）  エアゾール容器と、脂肪酸セッケン、炭素数２または３のアルコール系化合物、テルペン系化合物および水を含有するエアゾール用組成物と、噴射剤と、を備え、前記エアゾール用組成物および前記噴射剤が、前記エアゾール容器内に充填されていることを特徴とする、排水口洗浄用のエアゾール剤、
（２）  エアゾール容器と、脂肪酸セッケン、炭素数２または３のアルコール系化合物、テルペン系化合物および水を含有するエアゾール用組成物と、噴射剤と、を備え、前記エアゾール用組成物および前記噴射剤が、前記エアゾール容器内に充填されていることを特徴とする、洗濯槽洗浄用のエアゾール剤、
を提供することを特徴とする。
【発明の効果】
【０００６】
本発明の排水口洗浄用および洗濯槽洗浄用のエアゾール剤は、洗浄料としての脂肪酸セッケンと、溶媒としての炭素数２または３のアルコール系化合物および水と、抗菌および芳香作用を発揮するテルペン系化合物とを含有するエアゾール用組成物を含み、このエアゾール用組成物と、噴射剤とが、エアゾール用器内に充填、密閉されている。すなわち、上記エアゾール剤では、アニオン界面活性剤である脂肪酸セッケンを除く、他の界面活性剤は、主たる洗浄料成分ではなく、また、有機溶媒は、主たる溶媒成分ではない。
【０００７】
それゆえ、本発明の排水口洗浄用および洗濯槽洗浄用のエアゾール剤によれば、下水に直接排出されても、環境に対する負荷を抑えることができる。
また、脂肪酸セッケンは、皮膚や粘膜に対する刺激が小さいことから、例えば、浴槽の排水口や洗濯機の洗濯槽において、洗浄料が残留した場合であっても、残留した洗浄料によって皮膚や粘膜が刺激されるという不具合が生じることを防止できる。
【０００８】
また、本発明の排水口洗浄用および洗濯槽洗浄用のエアゾール剤は、エアゾール容器から噴射されたときに、ムース状となる。それゆえ、洗浄時間を長く取ることができ、確実な洗浄を達成することができる。
【発明を実施するための最良の形態】
【０００９】
本発明の排水口洗浄用および洗濯槽洗浄用のエアゾール剤は、エアゾール容器と、脂肪酸セッケン、炭素数２または３のアルコール系化合物、テルペン系化合物および水を含有するエアゾール用組成物と、噴射剤とを備え、前記エアゾール用組成物および前記噴射剤が、前記エアゾール容器内に充填されている。
上記エアゾール容器としては、噴出口を有する耐圧性の容器であること以外は、特に限定されず、公知の種々のタイプのエアゾール容器が挙げられる。
【００１０】
エアゾール容器の具体例としては、特に限定されるものではなく、例えば、耐圧容器と、上記耐圧容器の開口部を封止するバルブと、上記バルブに連なって、エアゾール用組成物の噴出口をなすボタンと、上記バルブに連なって、上記エアゾール容器の内部に配置されるディップチューブとを備える、一般的な構造のエアゾール容器が挙げられる。また、例えば、上記ディップチューブを有さず、使用時にバルブを下向きにして（倒立状態で）エアゾール用組成物を噴射させるタイプのエアゾール容器、例えば、上記バルブの横に噴射剤用の孔（ベーパータップ）を備える、微細な噴射粒子を得るのに適したタイプのエアゾール容器（使用時にバルブが上向き（正立状態）であるか、下向き（倒立状態）であるかを問わないタイプのもの。）、例えば、チューブタイプやプリーツタイプの内袋を有する二重構造タイプのエアゾール容器などが挙げられる。
【００１１】
また、上記エアゾール容器は、好ましくは、上記エアゾール用組成物を外部へ噴射させるための噴射口に接続される噴射管を備えている。この噴射管は、より好ましくは、上記噴射口に対して着脱自在に接続される。
噴射管は、エアゾール容器の噴射口から噴射されるエアゾール用組成物を通過させることができる内径を備えていること以外は、特に限定されず、例えば、噴射管の長さ、外径などについては、エアゾール容器の用途に応じて、適宜設定できる。また、噴射管は、プラスチック製であってもよく、金属製であってもよい。上記噴射管は、例えば、噴射管と上記噴射口とを互いに嵌合させることにより、上記エアゾール容器に装着することができる。
【００１２】
上記噴射管がエアゾール容器に備えられているときは、エアゾール容器の使用時に、エアゾール用組成物を、所望の部位に対して集中して噴射させることができる。
上記エアゾール用組成物は、脂肪酸セッケン、炭素数２または３のアルコール系化合物、テルペン系化合物および水を含有している。
上記脂肪酸セッケンは、脂肪酸にアルカリを加えて得られる脂肪酸塩であって、エアゾール用組成物に洗浄料成分として配合される。
【００１３】
上記脂肪酸塩の脂肪酸としては、種々の脂肪酸を挙げることができる。それゆえ、これに限定されないが、例えば、カプリル酸（オクタン酸）、ペラルゴン酸（ノナン酸）、カプリン酸（デカン酸）、ウンデシル酸（ウンデカン酸）、ラウリン酸（ドデカン酸）、トリデシル酸（トリデカン酸）、ミリスチン酸（テトラデカン酸）、ペンタデシル酸（ペンタデカン酸）、パルミチン酸（ヘキサデカン酸）、ヘプタデシル酸（ヘプタデカン酸）、ステアリン酸（オクタデカン酸）、ノナデカン酸、アラキン酸（イコサン酸）、ヘンイコサン酸、ベヘン酸（ドコサン酸）などの、炭素数８〜２２の飽和脂肪酸、例えば、ウンデシレン酸（１０−ウンデセン酸）、オレイン酸（シス−９−オクタデセン酸）、エライジン酸（トランス−９−オクタデセン酸）、リノール酸（シス−９，シス−１２−オクタデカジエン酸）、リノエライジン酸（トランス−９，トランス−１２−オクタデカジエン酸）、α−リノレン酸（９，１２，１５−オクタデカトリエン酸）、γ−リノレン酸（６，９，１２−オクタデカトリエン酸）、ステアロール酸（９−オクタデシン酸）、アラキドン酸（シス−５，８，１１，１４−エイコサテトラエン酸）、エルカ酸（シス−１３−ドコセン酸）、ブラシジン酸（トランス−１３−ドコセン酸）、セトレイン酸（１１−ドコセン酸）などの、炭素数８〜２２の不飽和脂肪酸が挙げられる。
【００１４】
上記例示の脂肪酸は、単独で用いてもよく、２種以上を混合して用いてもよい。また、上記脂肪酸は、例えば、ヤシ油、パーム油、パーム核油、牛脂、オリーブ油などの天然物であってもよく、また、これらの天然物のように、２以上の脂肪酸の混合物であってもよい。
上記脂肪酸塩としては、これに限定されないが、例えば、リチウム塩、ナトリウム塩、カリウム塩、トリエタノールアミン塩、ジエタノールアミン塩、モノエタノールアミン塩などが挙げられる。なかでも、特に好ましくは、ナトリウム塩、カリウム塩である。
【００１５】
炭素数２または３のアルコール系化合物は、例えば、水とともに、脂肪酸セッケン、テルペン系化合物、および、後述するその他の成分を溶解、分散させるために配合される。
上記の炭素数２または３のアルコール系化合物は、特に限定されないが、具体的には、例えば、炭素数２または３の、一価、二価または三価のアルコールが挙げられる。
炭素数２または３の一価アルコールとしては、例えば、エタノール、１−プロパノール、２−プロパノール（イソプロピルアルコール）などが挙げられ、好ましくは、エチルアルコール、２−プロパノールが挙げられる。
【００１６】
炭素数２または３の二価アルコールとしては、例えば、エチレングリコール、プロピレングリコール、トリメチレングリコール（１，３−プロパンジオール）などが挙げられ、好ましくは、エチレングリコール、プロピレングリコールが挙げられる。
炭素数２または３の三価アルコールとしては、例えば、グリセリンが挙げられる。
テルペン系化合物は、例えば、抗菌および芳香作用を発揮させるために配合される。
【００１７】
テルペン系化合物としては、これに限定されないが、例えば、リモネン、（α−，β−）ピネン、カンフェン、シネオール、ピペリトン、テルピネオール、（α−，β−，γ−）テルピネンなどが挙げられる。
上記例示のテルペン系化合物は、単独で用いてもよく、２種以上を混合して用いてもよい。また、上記テルペン系化合物は、例えば、ユーカリの精油、ヒノキの精油、ヒバの精油、松精油（テルペン油）、オレンジの精油などの天然物中に存在する形態であってもよく、また、これら天然物中に、２以上のテルペン系化合物の混合物として存在する形態あってもよい。
【００１８】
上記エアゾール用組成物には、必須の成分として、水が配合され、さらに、任意の成分として、香料、抗菌剤、界面活性剤などを配合することもできる。
界面活性剤としては、例えば、アニオン界面活性剤（脂肪酸セッケンを除く。）、ノニオン界面活性剤および両性界面活性剤が挙げられる。
アニオン界面活性剤（脂肪酸セッケンを除く。）としては、例えば、アミノ酸系、硫酸エステル塩系、スルホン酸塩系、リン酸エステル塩系などのアニオン界面活性剤が挙げられる。
【００１９】
アミノ酸系のアニオン界面活性剤の具体例としては、例えば、ココイルグルタミン酸塩、ラウリルグルタミン酸塩、ミリスチングルタミン酸塩、天然タンパク質の加水分解物（例えば、シルク（絹）から得られるアミノ酸系界面活性剤など。）などが挙げられる。また、これらの塩としては、例えば、リチウム塩、ナトリウム塩、カリウム塩、トリエタノールアミン塩、ジエタノールアミン塩、モノエタノールアミン塩などが挙げられ、なかでも、特に好ましくは、ナトリウム塩、カリウム塩、トリエタノールアミン塩である。
【００２０】
硫酸エステル塩系のアニオン界面活性剤としては、例えば、高級アルコール硫酸エステル塩、（例えば、ラウリル硫酸エステル塩、ステアリル硫酸エステル塩など。）、高級アルキルエーテル硫酸エステル塩（例えば、ラウリルエーテル硫酸エステル塩など。）などが挙げられる。また、これらの塩としては、上記したのと同様の塩が挙げられる。
スルホン酸塩系のアニオン界面活性剤としては、例えば、アルキルベンゼンスルホン酸塩、α−オレフィンスルホン酸塩などが挙げられる。また、これらの塩としては、上記したのと同様の塩が挙げられる。
【００２１】
リン酸エステル系のアニオン界面活性剤としては、例えば、高級アルコールリン酸モノエステルジナトリウム塩、高級アルコールリン酸ジエステルナトリウム塩などが挙げられる。また、これらの塩としては、上記したのと同様の塩が挙げられる。
アニオン界面活性剤は、上記例示のなかでも、好ましくは、アミノ酸系アニオン界面活性剤が挙げられ、より好ましくは、ココイルグルタミン酸ナトリウム、ココイルグルタミン酸カリウム、ラウリルグルタミン酸ナトリウム、ラウリルグルタミン酸カリウム、ミリスチングルタミン酸トリエタノールアミンが挙げられる。これらは、一般に、低刺激性の洗浄剤であることから、上記エアゾール剤が排水口洗浄用である場合において、例えば、浴槽の排水溝などを洗浄する用途に好適であり、また、上記エアゾール剤が洗濯槽洗浄用である場合においても、好適である。
【００２２】
ノニオン界面活性剤としては、例えば、アルキルグルコシド型（アルキルポリグルコシド）、ポリエチレングリコール型、多価アルコール型などのノニオン界面活性剤が挙げられる。
アルキルグルコシド型のノニオン界面活性剤としては、アルキル部分の炭素数が８〜２２であるアルキルポリグルコシドが挙げられる。
【００２３】
炭素数が８〜２２のアルキルとしては、例えば、オクタン、ノナン、デカン、ウンデカン、ドデカン、トリデカン、テトラデカン、ペンタデカン、ヘキサデカン、ヘプタデカン、オクタデカン、ノナデカン、イコサン、ヘンイコサン、ドコサン、１０−ウンデセン、シス−９−オクタデセン、トランス−９−オクタデセン、シス−９，シス−１２−オクタデカジエン、トランス−９，トランス−１２−オクタデカジエンなどが挙げられる。
【００２４】
ポリエチレングリコール型のノニオン界面活性剤としては、例えば、ポリオキシエチレンソルビタン脂肪酸（モノ、ジ、トリ）エステル、ポリオキシエチレンソルビトール脂肪酸（モノ、ジ、トリ）エステル、ポリオキシエチレンひまし油、脂肪酸ソルビタン（モノ、ジ、トリ）エステルなどが挙げられる。
ポリオキシエチレンソルビタン脂肪酸（モノ、ジ、トリ）エステル、ポリオキシエチレンソルビトール脂肪酸（モノ、ジ、トリ）エステルおよび脂肪酸ソルビタン（モノ、ジ、トリ）エステルにおける脂肪酸としては、上記脂肪酸塩について例示したのと同様の脂肪酸が挙げられる。
【００２５】
多価アルコール型のノニオン界面活性剤としては、例えば、シュガーエステル系（例えば、ショ糖脂肪酸エステル、ソルビタン脂肪酸エステルなど。）、グリセリンエステル系（例えば、グリセリンエステル、グリセリン脂肪酸エステルなど。）などのノニオン界面活性剤が挙げられる。
ショ糖脂肪酸エステル、ソルビタン脂肪酸エステルおよびポリグリセリン脂肪酸エステルにおける脂肪酸としては、上記脂肪酸塩について例示したのと同様の脂肪酸が挙げられる。
【００２６】
また、グリセリンエステルおよびグリセリン脂肪酸エステルのグリセリンとしては、モノグリセリンまたはポリグリセリンが挙げられ、好ましくは、モノグリセリンと、ジグリセリンからデカグリセリンまでのポリグリセリンが挙げられる。グリセリンエステルおよびグリセリン脂肪酸エステルのエステルは、モノエステルからテトラエステルまでのエステルが挙げられる。
【００２７】
両性界面活性剤としては、例えば、ステアリルジメチルベタイン、ラウリルジヒドロキシエチルベタインなどのアルキルジメチルベタイン（ベタイン型両性界面活性剤）などが挙げられる。
上記アルキルジメチルベタインは、そのアルキル部分の炭素数が８〜２２であり、好ましくは、１２〜１８である。また、炭素数８〜２２のアルキルとしては、上記したのと同様の基が挙げられる。
【００２８】
上記エアゾール用組成物は、各上記成分を配合して、混合、分散することにより得ることができる。
脂肪酸セッケンの含有割合は、エアゾール用組成物中で、好ましくは、１〜１０重量％であり、より好ましくは、２〜５重量％である。
脂肪酸セッケンの含有割合が上記範囲を下回ると、エアゾール用組成物の洗浄力が低下するおそれがある。逆に、脂肪酸セッケンの含有割合が上記範囲を上回ると、エアゾール用組成物の粘度が上昇して、エアゾール剤に適用する場合に、エアゾール容器から正常に噴射されなくなるおそれがある。
【００２９】
炭素数２または３のアルコール系化合物の配合割合は、脂肪酸セッケン１重量部に対して、好ましくは、２〜１５重量部であり、より好ましくは、５〜１０重量部である。
炭素数２または３のアルコール系化合物の配合割合が、上記範囲を下回ると、テルペン系化合物の可溶化が困難になり、均一なエアゾール用組成物が得られなくなるおそれがあり、逆に、上記範囲を上回ると、水の含有割合が少なくなるために、脂肪酸セッケンの湿潤および浸透効果が低下して、洗浄効果が十分に発揮されなくなるおそれがある。
【００３０】
テルペン系化合物の配合割合は、脂肪酸セッケン１重量部に対して、好ましくは、０．１〜１重量部であり、より好ましくは、０．２〜０．５重量部である。
テルペン系化合物の配合割合が、上記範囲を下回ると、天然精油の爽やかな香りを十分に発揮できなくなるおそれがあり、逆に、上記範囲を上回ると、水への可溶化が困難になって、均一なエアゾール用組成物が得られなくなるおそれがある。
【００３１】
なお、水の含有割合は、上記配合される各種成分の残余の割合とされる。
また、任意の成分として、界面活性剤を配合する場合において、界面活性剤の配合割合は、脂肪酸セッケン１重量部に対して、好ましくは、０．５〜１０重量部であり、より好ましくは、１〜５重量部である。
噴射剤としては、特に限定されないが、例えば、プロパン、ｎ−ブタン、イソブタン、これらの混合物である液化石油ガス（ＬＰＧ）、例えば、メタンを主成分とする液化天然ガス（ＬＮＧ）、例えば、イソペンタン、ジメチルエーテルなどの液化ガス、例えば、フロン１１（登録商標）、フロン１２（登録商標）、フロン２１（登録商標）、フロン１１３（登録商標）、フロン１１４（登録商標）などのフッ化炭化水素類、例えば、窒素ガス、炭酸ガスなどが挙げられる。なかでも、特に好ましくは、ＬＰＧが挙げられる。
【００３２】
上記した排水口洗浄用または洗濯槽洗浄用のエアゾール剤を調製するには、例えば、上記エアゾール用組成物をエアゾール容器内に充填し、さらに、エアゾール容器内に噴射剤を加圧充填した後、密封すればよい。
エアゾール容器内でのエアゾール用組成物と噴射剤との充填割合は、特に限定されないが、通常、重量比で、５：９５〜９５：５であり、好ましくは、３０：７０〜７０：３０である。
【００３３】
排水口洗浄用エアゾール剤および洗濯槽洗浄用エアゾール剤（以下、これらをまとめて、単に「エアゾール剤」という場合がある。）中での脂肪酸セッケンの含有割合は、好ましくは、０．５〜５重量％であり、より好ましくは、１〜３重量％である。
エアゾール剤中での炭素数２または３のアルコール系化合物の含有割合は、好ましくは、５〜３０重量％、より好ましくは、１０〜２０重量％である。
【００３４】
エアゾール剤中でのテルペン系化合物の含有割合は、好ましくは、０．１〜３重量％、より好ましくは、０．２〜２重量％である。
エアゾール剤中での水の含有割合は、特に限定されないが、好ましくは、５〜９５重量％、より好ましくは、３０〜８０重量％である。
また、上記エアゾール用組成物に、任意の成分として、界面活性剤を配合する場合において、エアゾール剤中での界面活性剤の配合割合は、好ましくは、１〜２０重量％であり、より好ましくは、２〜１０重量％である。
【００３５】
図１は、本発明に係る排水口洗浄用のエアゾール剤の使用状態の一例を示す概略説明図であって、洗面台２の排水口３に、排水口洗浄用エアゾール剤１を噴射した状態を示している。
上記排水口洗浄用エアゾール剤１は、洗面台２の排水口３に対して、直接に、スプレーすればよい。
【００３６】
特に、排水口洗浄用エアゾール剤１が、エアゾール用組成物を噴射させるための噴射口（図示せず）に接続される噴射管４を備えているときには、離れた位置から排水口３に対して、正確にエアゾール用組成物を噴射させ、排水口３上にエアゾール用組成物の泡５を確実に付着させることができる。
また、排水口洗浄用エアゾール剤１が、噴射管４を備えているときには、この噴射管４を、排水口３に近づけ、または、排水口３に挿入して、スプレーすることにより、排水口３の内部を洗浄することもできる。
【００３７】
上記排水口洗浄用エアゾール剤により洗浄される排水口は、図１に示す洗面台２の排水口であってもよく、また、流し台、浴室、浴槽などの排水口であってもよい。また、洗面台、流し台、浴室、浴槽およびそれらの排水口は、その材質について特に限定されず、例えば、陶器製であってもよく、樹脂製であってもよく、金属製（例えば、ステンレス製）のものであってもよい。
【００３８】
上記排水口洗浄用エアゾール剤１を、排水口３などの表面に対してスプレーする程度は、特に限定されないが、例えば、１〜２秒間程度（噴射量約２．５〜４．０ｇ程度）とすることが好ましい。
上記排水口洗浄用エアゾール剤１中のエアゾール用組成物は、使用時に泡立ち、ムース（泡）状となってエアゾール容器から噴射される。それゆえ、洗面台２の排水口３に噴射、付着されたエアゾール用組成物は、上記洗面台２の排水口３にて、比較的長時間（通常、約３〜５分間程度）留まり、その後、泡５が消失し、液状となって、排水口３の内部へと流れ落ちる。
【００３９】
このように、上記排水口洗浄用エアゾール剤によれば、噴射されたエアゾール用組成物が、排水口およびその近傍にて一定時間留まることから、排水口に対する洗浄時間を長くして、洗浄効果を高めることができる。なお、排水口の汚れの程度に応じて、ムース状のエアゾール用組成物が排水口およびその近傍に留まっているときに、例えば、ブラシで擦り洗いをしたり、布などで拭き取ったりすることも可能である。
【００４０】
図２は、本発明に係る洗濯槽洗浄用のエアゾール剤の使用状態の一例を示す概略説明図であって、洗濯機１１の洗濯槽１２内に、洗濯槽洗浄用エアゾール剤１０を噴射した状態を示している。
上記洗濯槽洗浄用エアゾール剤１０は、洗濯機１１の洗濯槽１２に対して、直接に、スプレーすればよく、好ましくは、洗濯槽１２の外槽と内槽との間に充填されるように、スプレーする。
【００４１】
特に、洗濯槽洗浄用エアゾール剤１０が、エアゾール用組成物を噴射させるための噴射口（図示せず）に接続される噴射管１３を備えているときには、洗濯槽１２の外槽と内槽との隙間に、正確にエアゾール用組成物を噴射させ、上記外槽と内槽との隙間にエアゾール用組成物の泡を確実に充填、付着させることができる。このため、洗濯槽１２の洗浄効果を著しく上昇させることができる。
【００４２】
上記洗濯槽洗浄用エアゾール剤により洗浄される洗濯槽は、例えば、洗濯槽の形状、洗濯槽の回転方向、洗濯槽を回転させる軸の方向、洗濯槽の開口部の位置などの、洗濯槽の形態について特に限定されず、公知の種々の形態でよい。また、洗濯槽の外槽および内槽の材質は、特に限定されず、例えば、内槽については、金属製（例えば、ステンレス製）などであってもよく、また、外槽については、樹脂製などであってもよい。
【００４３】
上記洗濯槽洗浄用エアゾール剤１０を、洗濯機１１の洗濯槽１２に対してスプレーする程度は、洗濯槽１２の大きさなどに応じて適宜設定されることから、特に限定されないが、例えば、収容量４５Ｌ程度の洗濯槽１２に対し、６〜１２秒間程度（噴射量約１５〜３０ｇ程度）とすることが好ましい。
上記洗濯槽洗浄用エアゾール剤１０中のエアゾール用組成物は、使用時に泡立ち、ムース（泡）状となってエアゾール容器から噴射される。それゆえ、洗濯槽１２、好ましくは、洗濯槽１２の外槽と内槽との隙間に噴射、付着されたエアゾール用組成物は、洗濯槽１２の表面、または、洗濯槽１２の外槽と内槽との隙間にて、比較的長時間（通常、約３〜５分間程度）留まり、その後、泡が消失し、液状となって、洗濯槽１２内の排水口へと流れ落ちる。
【００４４】
このように、上記洗濯槽洗浄用エアゾール剤によれば、噴射されたエアゾール用組成物が、洗濯槽（好ましくは、洗濯槽の外槽と内槽との隙間）にて一定時間留まることから、洗濯槽に対する洗浄時間を長くして、洗浄効果を高めることができる。
【実施例】
【００４５】
次に、本発明を実施例に基づいて説明するが、本発明は下記の実施例によって限定されるものではない。
実施例１
脂肪酸セッケン（ヤシ油のケン化物）２．５重量部と、イソプロピルアルコール１７．５重量部と、ユーカリの精油１重量部と、水７９重量部とを配合して、攪拌、混合することにより、エアゾール用組成物を得た。
【００４６】
次いで、上記エアゾール用組成物と、液化石油ガス（ＬＰＧ）とを、エアゾール容器内に加圧充填後、密閉して、エアゾール剤を得た。エアゾール剤の組成は、次のとおりである。
脂肪酸セッケン２重量％、イソプロピルアルコール１３．６９重量％、ユーカリ精油０．５重量％、水７５．０４重量％、ＬＰＧ８．７７重量％。
【００４７】
試験例１
上記実施例１で得られたエアゾール剤と、市販の液体合成洗剤（スプレータイプ、中性）とを用いて、タイル上に人工的に付着された汚れに対する洗浄効果を比較した。
上記実施例１で得られたエアゾール剤と、市販の液体合成洗剤（スプレータイプ）とを、それぞれ、表面に人工的な汚れが付着され、かつ、略垂直に立て掛けられたタイルの上記表面に噴射して、エアゾール用組成物の泡立ちの程度と、洗浄力（洗浄効果）とを評価した。
【００４８】
上記の結果より、実施例１のエアゾール用組成物を使用することで、エアゾール用組成物の気泡力が高く、洗浄の対象物である洗面台などの排水口や、洗濯機の洗濯槽などにおいて、比較的長時間にわたって付着できることがわかった。また、目視により観察した結果、上記タイルの表面に人工的に付着された汚れは、エアゾール用組成物の気泡力が高いことから、エアゾール剤の泡の広がりにより、比較的広い範囲にわたって洗浄、除去されていた。
【００４９】
これに対し、市販の液体合成洗剤を使用したときは、洗浄成分がタイルの表面において保持されにくく、比較的早期に落下し、実施例１のエアゾール剤を用いた場合に比べて、汚れの洗浄、除去効果が顕著に劣っていた。また、上記タイルの表面において、汚れが洗浄、除去された範囲は、洗浄成分が上記タイルの表面を伝って流れ落ちた領域に限られることから、実施例１のエアゾール剤を用いた場合に比べて、明らかに狭くなっていた。
【図面の簡単な説明】
【００５０】
【図１】本発明に係る排水口洗浄用のエアゾール剤の使用状態の一例を示す概略説明図である。
【図２】本発明に係る洗濯槽洗浄用のエアゾール剤の使用状態の一例を示す概略説明図である。
【符号の説明】
【００５１】
１  排水口洗浄用エアゾール剤
３  排水口
４  噴射管
５  エアゾール用組成物の泡
１０  洗濯槽洗浄用エアゾール剤
１２  洗濯槽
１３  噴射管
【図１】
2007119707.tif 000003
【図２】
2007119707.tif 000004